【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
作動流体の液相と気相との相変化により対象機器（２）の温度を調整する機器温調装置であって、
前記対象機器の冷却時に作動流体が蒸発するように前記対象機器と作動流体とが熱交換可能に構成された複数の機器用熱交換器（１１〜１４）を有する機器温度調整部（１０）と、
気相の作動流体を放熱させ、凝縮した液相の作動流体を流出させる凝縮器（５０）と、
前記凝縮器と前記機器温度調整部との間に液相の作動流体を流す液相通路（５５）と、
前記機器温度調整部と前記凝縮器との間に気相の作動流体を流す複数の気相通路（２１〜２４、３０〜３２、４０〜４２）と、を備え、
複数の前記気相通路のうち第１気相通路（２１）が前記機器温度調整部に接続する第１接続部（２１１）と、第２気相通路（２２）が前記機器温度調整部に接続する第２接続部（２２１）とは、水平方向に離れた場所に位置しており、
前記機器温度調整部は、車両前後方向に離れた位置に設けられる複数の前記機器用熱交換器、および、複数の前記機器用熱交換器のうちいずれかに設けられた前記第１接続部と前記第２接続部を連結する連結通路（６１、６２）を有している、機器温調装置。
【請求項２】
前記第１接続部は、複数の前記機器用熱交換器のうち車両前方側に配置された所定の前記機器用熱交換器に設けられており、
前記第２接続部は、複数の前記機器用熱交換器のうち車両後方側に配置された別の前記機器用熱交換器に設けられており、
前記第１気相通路は、前記第１接続部から上方または車両前方へ延びる部位（２１ａ）を有しており、
前記第２気相通路は、前記第２接続部から上方または車両後方へ延びる部位（２２ａ）を有している、請求項１に記載の機器温調装置。
【請求項３】
前記第１気相通路または前記第２気相通路の少なくとも一部と前記連結通路とは、互いに当接または隣接した状態で延びる並列部（２５１）を構成している、請求項１または２に記載の機器温調装置。
【請求項４】
前記第１気相通路の少なくとも一部と前記第２気相通路の少なくとも一部とは、互いに当接または隣接した状態で延びる並列部（２５）を構成している、請求項１ないし３のいずれか１つに記載の機器温調装置。
【請求項５】
前記第１気相通路または前記第２気相通路の少なくとも一部と前記連結通路とは、一方の配管の内側に他方の配管が設けられた二重配管構造（２６）となっている、請求項１または２に記載の機器温調装置。
【請求項６】
前記第１気相通路の少なくとも一部と前記第２気相通路の少なくとも一部とは、一方の配管の内側に他方の配管が設けられた二重配管構造（２６）となっている、請求項１ないし５のいずれか１つに記載の機器温調装置。
【請求項７】
作動流体の液相と気相との相変化により対象機器（２）の温度を調整する機器温調装置であって、
前記対象機器の冷却時に作動流体が蒸発するように前記対象機器と作動流体とが熱交換可能に構成された複数の機器用熱交換器（１１〜１４）を有する機器温度調整部（１０）と、
気相の作動流体を放熱させ、凝縮した液相の作動流体を流出させる凝縮器（５０）と、
前記凝縮器と前記機器温度調整部との間に液相の作動流体を流す液相通路（５５）と、
前記機器温度調整部と前記凝縮器との間に気相の作動流体を流す複数の気相通路（２１〜２４、３０〜３２、４０〜４２）と、を備え、
複数の前記気相通路のうち第１気相通路（２１）が前記機器温度調整部に接続する第１接続部（２１１）と、第２気相通路（２２）が前記機器温度調整部に接続する第２接続部（２２１）とは、水平方向に離れた場所に位置しており、
前記第１気相通路または前記第２気相通路に設けられ、前記気相通路の前記第１接続部側または前記第２接続部側から前記凝縮器側への液相の作動流体の流れを規制する流路面積調整弁（８０、８３、８６）と、
前記機器温度調整部の傾きを検出する傾きセンサ（８２）と、をさらに備え、
前記機器温度調整部の傾きが前記傾きセンサにより検出されたとき、前記流路面積調整弁は、前記気相通路の前記第１接続部側または前記第２接続部側から前記凝縮器側への液相の作動流体の流れを規制する、機器温調装置。
【請求項８】
作動流体の液相と気相との相変化により対象機器（２）の温度を調整する機器温調装置であって、
前記対象機器の冷却時に作動流体が蒸発するように前記対象機器と作動流体とが熱交換可能に構成された複数の機器用熱交換器（１１〜１４）を有する機器温度調整部（１０）と、
気相の作動流体を放熱させ、凝縮した液相の作動流体を流出させる凝縮器（５０）と、
前記凝縮器と前記機器温度調整部との間に液相の作動流体を流す液相通路（５５）と、
前記機器温度調整部と前記凝縮器との間に気相の作動流体を流す複数の気相通路（２１〜２４、３０〜３２、４０〜４２）と、を備え、
複数の前記気相通路のうち第１気相通路（２１）が前記機器温度調整部に接続する第１接続部（２１１）と、第２気相通路（２２）が前記機器温度調整部に接続する第２接続部（２２１）とは、水平方向に離れた場所に位置しており、
前記第１気相通路または前記第２気相通路に設けられ、前記気相通路の前記第１接続部側または前記第２接続部側から前記凝縮器側への液相の作動流体の流れを規制する流路面積調整弁（８０、８３、８６）をさらに備え、
前記流路面積調整弁（８３）は、
前記気相通路の内壁に設けられる弁座（８４）と、
前記気相通路の前記第１接続部または前記第２接続部が前記弁座より重力方向上側にあるときに自重により前記弁座に着座し、前記気相通路の前記第１接続部または前記第２接続部が前記弁座より重力方向下側にあるとき前記弁座から離座する弁体（８５）を有する、機器温調装置。
【請求項９】
作動流体の液相と気相との相変化により対象機器（２）の温度を調整する機器温調装置であって、
前記対象機器の冷却時に作動流体が蒸発するように前記対象機器と作動流体とが熱交換可能に構成された複数の機器用熱交換器（１１〜１４）を有する機器温度調整部（１０）と、
気相の作動流体を放熱させ、凝縮した液相の作動流体を流出させる凝縮器（５０）と、
前記凝縮器と前記機器温度調整部との間に液相の作動流体を流す液相通路（５５）と、
前記機器温度調整部と前記凝縮器との間に気相の作動流体を流す複数の気相通路（２１〜２４、３０〜３２、４０〜４２）と、を備え、
複数の前記気相通路のうち第１気相通路（２１）が前記機器温度調整部に接続する第１接続部（２１１）と、第２気相通路（２２）が前記機器温度調整部に接続する第２接続部（２２１）とは、水平方向に離れた場所に位置しており、
前記第１気相通路または前記第２気相通路に設けられ、前記気相通路の前記第１接続部側または前記第２接続部側から前記凝縮器側への液相の作動流体の流れを規制する流路面積調整弁（８０、８３、８６）をさらに備え、
前記流路面積調整弁（８６）は、
前記気相通路の内壁に設けられる弁座（８７）と、
前記気相通路に液相の作動流体が流れるときに浮力により弁座に着座し、前記気相通路に気相の作動流体が流れるときに弁座から離座する弁体（８８）を有する、機器温調装置。
【請求項１０】
機器温調装置は、車両に搭載されるものであり、
前記第１接続部と前記第２接続部とは、車両前後方向に離れた場所に位置している、請求項１ないし９のいずれか１つに記載の機器温調装置。
【請求項１１】
前記機器温度調整部が水平状態にある場合、作動流体の液面（ＦＬ）が前記機器用熱交換器の高さ方向の途中に位置し、前記第１接続部と前記第２接続部が、前記機器温度調整部のうち作動流体の液面より上側に位置するように作動流体の封入量が調整されている、請求項１ないし１０のいずれか１つに記載の機器温調装置。
【請求項１２】
前記機器温度調整部が所定角度に傾斜した場合、作動流体の液面が前記第１接続部または前記第２接続部の一方の上側にあり、前記第１接続部または前記第２接続部の他方の下側にあるように、作動流体の封入量が調整されている、請求項１ないし１１のいずれか１つに記載の機器温調装置。
【請求項１３】
前記気相通路は、前記第１気相通路を流れる作動流体と前記第２気相通路を流れる作動流体とを合流させる合流部（３０〜３２）と、前記合流部と前記凝縮器との間に気相の作動流体を流す合流通路（４０〜４２）と、を含んで構成されており、
前記合流部は、前記第１接続部および前記第２接続部よりも重力方向上側に設けられる、請求項１ないし１２のいずれか１つに記載の機器温調装置。
【請求項１４】
前記機器温度調整部が所定角度に傾斜した場合、前記合流部より下側に作動流体の液面があるように、作動流体の封入量が調整されている、請求項１３に記載の機器温調装置。
【請求項１５】
前記第１接続部と前記第２接続部は、１つの前記機器用熱交換器のうち水平方向に離れた位置に設けられている、請求項１ないし１４のいずれか１つに記載の機器温調装置。
【請求項１６】
前記機器用熱交換器は、重力方向から視て長手方向と短手方向を有する形状であり、前記対象機器に直接接触または熱伝導部材を介して間接的に熱接触する熱交換部（１１３）を有しており、
前記第１接続部と前記第２接続部は、前記機器用熱交換器のうち前記熱交換部より長手方向外側の位置に設けられている、請求項１ないし１５のいずれか１つに記載の機器温調装置。
【請求項１７】
前記第１接続部は、前記機器用熱交換器のうち前記熱交換部より車両前方側の位置に設けられており、
前記第２接続部は、前記機器用熱交換器のうち前記熱交換部より車両後方側の位置に設けられており、
前記第１気相通路は、前記第１接続部から上方または車両前方へ延びる部位（２１ａ）を有し、
前記第２気相通路は、前記第２接続部から上方または車両後方へ延びる部位（２２ａ）を有している、請求項１６に記載の機器温調装置。
【手続補正２】
【補正対象書類名】明細書
【補正対象項目名】０００９
【補正方法】変更
【補正の内容】
【０００９】
上記目的を達成するため、請求項１に係る発明は、作動流体の液相と気相との相変化により対象機器（２）の温度を調整する機器温調装置であって、
対象機器の冷却時に作動流体が蒸発するように対象機器と作動流体とが熱交換可能に構成された複数の機器用熱交換器（１１〜１４）を有する機器温度調整部（１０）と、
気相の作動流体を放熱させ、凝縮した液相の作動流体を流出させる凝縮器（５０）と、
凝縮器と機器温度調整部との間に液相の作動流体を流す液相通路（５５）と、
機器温度調整部と凝縮器との間に気相の作動流体を流す複数の気相通路（２１〜２４、３０〜３２、４０〜４２）と、を備え、
複数の気相通路のうち第１気相通路（２１）が機器温度調整部に接続する第１接続部（２１１）と、第２気相通路（２２）が機器温度調整部に接続する第２接続部（２２１）とは、水平方向に離れた場所に位置しており、
機器温度調整部は、車両前後方向に離れた位置に設けられる複数の機器用熱交換器、および、複数の機器用熱交換器のうちいずれかに設けられた第１接続部と第２接続部を連結する連結通路（６１、６２）を有している。
また、請求項７に係る発明は、作動流体の液相と気相との相変化により対象機器（２）の温度を調整する機器温調装置であって、
対象機器の冷却時に作動流体が蒸発するように対象機器と作動流体とが熱交換可能に構成された複数の機器用熱交換器（１１〜１４）を有する機器温度調整部（１０）と、
気相の作動流体を放熱させ、凝縮した液相の作動流体を流出させる凝縮器（５０）と、
凝縮器と機器温度調整部との間に液相の作動流体を流す液相通路（５５）と、
機器温度調整部と凝縮器との間に気相の作動流体を流す複数の気相通路（２１〜２４、３０〜３２、４０〜４２）と、を備え、
複数の気相通路のうち第１気相通路（２１）が機器温度調整部に接続する第１接続部（２１１）と、第２気相通路（２２）が機器温度調整部に接続する第２接続部（２２１）とは、水平方向に離れた場所に位置しており、
第１気相通路または第２気相通路に設けられ、気相通路の第１接続部側または第２接続部側から凝縮器側への液相の作動流体の流れを規制する流路面積調整弁（８０、８３、８６）と、
機器温度調整部の傾きを検出する傾きセンサ（８２）と、をさらに備え、
機器温度調整部の傾きが傾きセンサにより検出されたとき、流路面積調整弁は、気相通路の第１接続部側または第２接続部側から凝縮器側への液相の作動流体の流れを規制する。
また、請求項８に係る発明は、作動流体の液相と気相との相変化により対象機器（２）の温度を調整する機器温調装置であって、
対象機器の冷却時に作動流体が蒸発するように対象機器と作動流体とが熱交換可能に構成された複数の機器用熱交換器（１１〜１４）を有する機器温度調整部（１０）と、
気相の作動流体を放熱させ、凝縮した液相の作動流体を流出させる凝縮器（５０）と、
凝縮器と機器温度調整部との間に液相の作動流体を流す液相通路（５５）と、
機器温度調整部と凝縮器との間に気相の作動流体を流す複数の気相通路（２１〜２４、３０〜３２、４０〜４２）と、を備え、
複数の気相通路のうち第１気相通路（２１）が機器温度調整部に接続する第１接続部（２１１）と、第２気相通路（２２）が機器温度調整部に接続する第２接続部（２２１）とは、水平方向に離れた場所に位置しており、
第１気相通路または第２気相通路に設けられ、気相通路の第１接続部側または第２接続部側から凝縮器側への液相の作動流体の流れを規制する流路面積調整弁（８０、８３、８６）をさらに備え、
流路面積調整弁（８３）は、
気相通路の内壁に設けられる弁座（８４）と、
気相通路の第１接続部または第２接続部が弁座より重力方向上側にあるときに自重により弁座に着座し、気相通路の第１接続部または第２接続部が弁座より重力方向下側にあるとき弁座から離座する弁体（８５）を有する。
また、請求項９に係る発明は、作動流体の液相と気相との相変化により対象機器（２）の温度を調整する機器温調装置であって、
対象機器の冷却時に作動流体が蒸発するように対象機器と作動流体とが熱交換可能に構成された複数の機器用熱交換器（１１〜１４）を有する機器温度調整部（１０）と、
気相の作動流体を放熱させ、凝縮した液相の作動流体を流出させる凝縮器（５０）と、
凝縮器と機器温度調整部との間に液相の作動流体を流す液相通路（５５）と、
機器温度調整部と凝縮器との間に気相の作動流体を流す複数の気相通路（２１〜２４、３０〜３２、４０〜４２）と、を備え、
複数の気相通路のうち第１気相通路（２１）が機器温度調整部に接続する第１接続部（２１１）と、第２気相通路（２２）が機器温度調整部に接続する第２接続部（２２１）とは、水平方向に離れた場所に位置しており、
第１気相通路または第２気相通路に設けられ、気相通路の第１接続部側または第２接続部側から凝縮器側への液相の作動流体の流れを規制する流路面積調整弁（８０、８３、８６）をさらに備え、
流路面積調整弁（８６）は、
気相通路の内壁に設けられる弁座（８７）と、
気相通路に液相の作動流体が流れるときに浮力により弁座に着座し、気相通路に気相の作動流体が流れるときに弁座から離座する弁体（８８）を有する。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】